(57)【特許請求の範囲】
【請求項１】
本体内に、湯水の混合比を調整する調整弁部と、この調整弁部の下流側に設けられた電磁弁部と、この電磁弁部の下流側に設けられた吐出部と、人体を検出する検知部と、この検知信号に基づき電磁弁部を駆動する制御部とを備えた自動水栓において、上記本体を、側面略矩形形状で平面縦長の厚板形状に形成すると共に上面後方に開口空間部を設け、上記調整弁部及び電磁弁部をこの開口空間部に、それぞれ上記本体に対して縦方向に収納し、且つ上記調整弁部及び電磁弁部を前記開口空間部に後方より順に収納してカバー部で覆い調整弁部の操作部をこのカバー部より突出せしめると共に、上記吐出部を上記本体の前面上部に設けたことを特徴とする自動水栓。
【請求項２】
上記検知部が人体の存在を検出するセンサー部であって、このセンサー部を上記吐出部より下方の前面に設置したことを特徴とする請求項１記載の自動水栓。
【請求項３】
上記検知部がタッチスイッチ部であって、このタッチスイッチ部を上記カバー部に上記操作部より前方に設置したことを特徴とする請求項１記載の自動水栓。
【請求項４】
上記操作部をレバー式ハンドルで構成し、このレバー部を本体後面より外方に伸ばしたことを特徴とする請求項１乃至３何れか記載の自動水栓。
【請求項５】
上記操作部と調整弁部との連結部分を上記開口空間部内に位置させたことを特徴とする請求項４記載の自動水栓。
【請求項６】
上記レバー部の回転操作範囲を上記本体後方の１８０度以内に規制する手段を設けたことを特徴とする請求項４乃至５何れか記載の自動水栓。
【請求項７】
上記レバー部を本体後面より本体に沿って垂下させたことを特徴とする請求項６記載の自動水栓。
【発明の詳細な説明】
【０００１】
【発明の属する技術分野】
本発明はセンサーやタッチスイッチなどで電磁弁を開閉する自動水栓に関し、特に湯水の混合比を調整する調整弁を備えた自動水栓に関する。
【０００２】
【従来の技術】
この種の自動水栓として、横長円柱状本体の一方の側に調整弁を、他方の側に電磁弁や制御装置を設けた実開平４−１２７４８３号公報のものや、斜め前上方に伸びる吐水口本体の基部に調整弁を設け、この調整弁の上方に電磁弁を設けたＥＰ０４０９９９８号公報のものが知られている。
【０００３】
【発明が解決しようとする課題】
これら従来のものにおいては調整弁の操作ハンドルが吐出部より下方の側面に設けられているので操作ハンドルを操作しようとした際にセンサーが手を検知して不意に水が出て袖口を濡らす恐れがあって操作しにくいうえ、自動水栓をコーナーに設置する場合には、操作ハンドルがコーナー面に当たり設置できなかったり、調整弁や電磁弁が故障した際にコーナー面が邪魔になってこれらの取り外しや補修ができないケースも生じる。
【０００４】
本発明はこのような不都合を解決し、調整弁付きの自動水栓において、その設置取付けに制約を受けず、操作ハンドルの操作が行い易く、且つ調整弁や電磁弁の補修も簡単な自動水栓を提供することを目的としている。
【０００５】
【課題を解決するための手段】
本発明の自動水栓は、本体内に、湯水の混合比を調整する調整弁部と、この調整弁部の下流側に設けられた電磁弁部と、この電磁弁部の下流側に設けられた吐出部と、人体を検出する検知部と、この検知信号に基づき電磁弁部を駆動する制御部とを備えた自動水栓において、上記本体を、側面略矩形形状で平面縦長の厚板形状に形成すると共に上面後方に開口空間部を設け、上記調整弁部及び電磁弁部をこの開口空間部に、それぞれ上記本体に対して縦方向に収納し、且つ上記調整弁部及び電磁弁部を前記開口空間部に後方より順に収納してカバー部で覆い調整弁部の操作部をこのカバー部より突出せしめると共に、上記吐出部を上記本体の前面の上部に設けたことを特徴としている。
【０００６】
このように構成し、操作部を吐出部より上面に設けているので、操作部を操作する際に袖口を濡らすこともなく、自動水栓をコーナーに設置しても操作部がコーナー面に当たることはなく設置に制約を受けず、調整弁部や電磁弁部が故障した際にカバー部を外し、これらを上方より取り外すことが簡単で補修が容易である。
【０００７】
【発明の実施の形態】
検知部を人体の存在を検出するセンサーとする場合には、このセンサーを吐出部より下方の前面に設置するのが好ましく、この様にすれば吐出部近傍に差し出した手などを確実に検出できて確実に吐水できる。
【０００８】
検知部としてのタッチスイッチをカバー部に設ける場合には、操作部の手前側に設けるのが好ましく、この様にすれば頻繁にタッチ操作するタッチスイッチが操作部より手前に位置するので使い勝手も良く、しかもカバー部の本体からの取り外しが容易でタッチスイッチの補修も行い易い。
【０００９】
調整弁部の操作部をレバー式ハンドルで構成し、このレバー部を本体後面より外方に伸ばせばより好ましく、この様にするとレバー部が本体後方に位置し、洗顔の際に誤ってレバー部に触れて吐水温度が変化することが防止でき、使い勝手が良い。
【００１０】
操作部と調整弁部との連結部分を開口空間部内に位置させると、操作部の本体上面よりの突出高さが低く抑えることが出来、洗顔の際に操作部が当たる危険を防止できる。
【００１１】
レバー部の回転操作範囲を本体後方の１８０度以内に規制する手段を設けると、レバー部が本体上面前方に位置することが確実に防止し得、しかもレバー部を回動する範囲が狭くて簡単に温度調整できて好ましい。
【００１２】
レバー部を本体後面より本体に沿って垂下させると、この垂下した部分に指などを当てて簡単に操作でき、いたずらにレバー部を本体後方に長く伸ばす必要が無くて済みコンパクトに出来る。
【００１３】
【実施例】
以下、図面に基づき本発明を詳細に説明すると、図１は本発明の第１実施例を示す自動水栓の外観斜視図、図２は同平面図、図３は同中央断面図、図４は図３におけるＡ−Ａ断面図、図５は同、Ｂ−Ｂ断面図、図６は同、Ｃ−Ｃ断面図、図７は同、Ｄ−Ｄ断面図、図８は同、Ｅ−Ｅ断面図、図９は同、Ｆ−Ｆ断面図、図１０は同、Ｇ−Ｇ断面図、図１１は同、要部の分解斜視図、図１２は同、電磁弁部の断面図、図１３は同、調整弁部の取付け状況を示す平面図、図１４は同、操作部の底面図、図１５は本発明の第２実施例を示す自動水栓の外観斜視図、図１６は同自動水栓の平面図、図１７は同自動水栓の中央断面図である。
【００１４】
まず、図１乃至図１４に示す第１実施例について説明すると、１は本発明の自動水栓であって、その本体２は青銅などの銅合金にて側面略矩形形状で前方に傾斜した平面縦長の略卵型の厚板形状に形成され、この本体２の底面３は手洗い器４などに固定されており、前面５の傾斜壁６にはその上部に吐出部７が設けられて手洗い器４のボール部８に臨んでおり、この吐出部７より下方には手などの人体を検出する検知部９が設けられている。
【００１５】
この本体２の底面３には手洗い器４への固定手段１０が設けられると共に湯水の配管１１、１２が接続され、本体２後方内部には湯配管１１に連絡する湯流路１３、水配管１２に連絡する水流路１４、およびこれら両流路１３，１４が合流して本体２上部後方から前方に延び吐出部７に連絡する混合水流路１５が区画形成されている。
【００１６】
そして、本体２の前面５側下部には、図１１に示すように第1の立壁１６で囲まれ前方を開口した略長方形状の前方開口空間部１７が形成され、又、本体２の上面１８中央から後方にかけて第2の立壁１９で囲まれ、一部をカットした略楕円形状の上方開口空間部２０が形成されており、これら前方開口空間部１７と上方開口空間部２０とは図７に示すように縦壁２１で区画された空洞部２２により連絡している。
【００１７】
前方開口空間部１７には、図１１に示すように防水構造の透明樹脂ケース２３内に投受光素子などのセンサー部２４、制御回路、電池（何れも図示せず）などを内蔵し、電磁弁部２５へのコネクタ付きコード２６が露出した検知部９が収納される。
【００１８】
即ち、背面側に検知部９がビス２７止めされると共に投受光素子などのセンサー部２４に対応する部分を開口２８した合成樹脂製前面板２９の周縁部３０を前方開口側段部３１に装着し、前面板２９を止めねじ３２で本体２に固定している。
【００１９】
一方、上方開口空間部２０には電磁弁部２５や調整弁部３３が収納されており、調整弁部３３の操作部３４のみが露出する状態で、本体２前方の上面１８から第２の立壁１９の内側周縁に設けたカバー取付け用段部３５にカバー部３６を装着している。
【００２０】
即ち、上方開口空間部２０の底壁部３７には略中央より後方にかけて順に電磁弁部２５取付け用の第1の開孔部３８と調整弁部３３取付け用の第2の開孔部３９が設けられている。
【００２１】
第１の開孔部３８の周囲4隅には図６に示すようにネジ孔４０が設けられると共に、図１１に示すように第１の開孔部３８を通して、本体２内部の混合水流路１５の１次側１５ａと２次側１５ｂを区画する第１の隔壁４１にこの第１の開孔部３８と同軸上に第１の挿入孔４２が開設される。
【００２２】
混合水流路１５の２次側１５ｂは、本体２前面５の傾斜壁６上部に開設された流出口４３に連絡しており、この流出口４３には、整流網４４などが装着されると共に手洗い器４のボール部８に臨んで水を吐出する吐出部７が取付けられている。
【００２３】
第２の開孔部３９周囲には、図１１に示すように段部４５を介して内周面に雌ネジ部４６が設けられた環状壁４７が設けられると共に、第２の開孔部３９を通して、本体２内部の混合水流路１５の１次側１５ａと水流路１４とを区画する第２の隔壁４８に第２の挿入孔４９が、湯流路１３と水流路１４とを区画する第３の隔壁５０に第３の挿入孔５１が夫々この第２の開孔部３９と同軸上に開設される。
【００２４】
第1の開孔部３８に取付けられる電磁弁部２５は、図１２に示すようにプランジャー５２でパイロット弁５３を開閉することで主弁５４が開閉する従来公知の電池駆動タイプの自己保持型バルブ構造であって、ケーシング５５内に電磁コイル５６や永久磁石５７及びプランジャー５２が収納された駆動ユニット部５８と、上部が平面略正方形で内部にダイヤフラム押え５９とダイヤフラム弁体６０を収めた矩形部分６１とこの矩形部分６１より垂下して一体に成形された２重管状の筒部分６２とを備えた合成樹脂製のバルブユニット部６３から構成されている。
【００２５】
駆動ユニット部５８とバルブユニット部６３とは、矩形部分６１に設けた複数の係止腕６４がケーシング５５のフランジ部６５に係止することで着脱自在に連結されると共に、ケーシング５５のフランジ部６５、及びバルブユニット部６３の矩形部分６１の４隅には夫々挿通孔（図示せず）が設けられている。
【００２６】
バルブユニット部６３の筒部分６２の内側円筒部６６下部は、本体２内部の混合水流路の１次側１５ａと２次側１５ｂを区画する第１の隔壁４１に開設された第１の挿入孔４２に水密状に嵌入されて内側円筒部６６の内部は混合水流路１５の１次側１５ａと隔離されて混合水流路１５の２次側１５ｂと連通しており、この内側円筒部６６の上端面はダイヤフラム弁体５８が接離する主弁５４のバルブシート部６７となっている。
【００２７】
又、バルブユニット部６３の筒部分６２の外側円筒部６８は、その一部を切り欠いて形成したた窓部６９が設けられ、内側円筒部６６と外側円筒部６８とで形成される空間は混合水流路１５の１次側１５ａと連通している。
【００２８】
ダイヤフラム押え５９とダイヤフラム弁体６０との間の空間は圧力室７０を構成しており、ダイヤフラム弁体６０中央部上面に設けられたパイロット弁座７１にプランジャー５２が接離して開閉するパイロット弁５３が開くことによりこの圧力室７０内の水が混合水流路１５の２次側１５ｂに流出する。
【００２９】
又、ダイヤフラム弁体６０には、内側円筒部６６と外側円筒部６８との間に対応する箇所に小孔７２が開設され、圧力室７０はこの小孔７２を介して混合水流路１５の１次側１５ａと連通している。
【００３０】
この電磁弁部２５は、止めねじ７３をケーシング５５のフランジ部６５、及びバルブユニット部６３の矩形部分６１の４隅に設けた挿通孔を通して第１の開孔部３８周囲に設けたネジ孔４０にねじ込むことで、電磁弁部２５が本体２に対して縦方向に着脱自在に取付けられる。
【００３１】
電磁コイルに連なるコネクタ付きコード７４は、検知部９から空洞部２２を通してコネクタ付きコード２６とコネクタ接続される。
【００３２】
第２の開孔部３９には、内部に湯水の混合比を調整する調整弁部３３を有し、奥側先端を塞ぎ基端側にはフランジ部７５を有する有底筒状の調整弁カートリッジ７６がこの第２の開孔部３９を通して第２の挿入孔４９、第３の挿入孔５１に水密状に嵌入され、その基端側フランジ部７５が段部４５に当接すると共に、その奥側先端の底部７７が湯流路１３内に延びている。
【００３３】
この調整弁カートリッジ７６は、上部にカバー部３６押え用の鍔部７８を有し下部外周に雄ねじ部７９を有する筒状リング８０を、その雄ねじ部７９を環状壁４７の雌ネジ部４６に螺着して段部４５と筒状リング８０先端との間に調整弁カートリッジ７６のフランジ部７５を挟み込むことにより、本体２内部に縦方向に収納保持される。
【００３４】
尚、筒状リング８０をねじ込む際、調整弁カートリッジ７６が回転しないように、フランジ部７５と段部４５には互いに係合して位置決めする凸部８１と凹部８２が設けられている。
【００３５】
この調整弁カートリッジ７６には図５に示すようにその中途部に夫々湯流路１３、水流路１４、混合水流路１５の1次側１５ａと夫々連通する第１の切り欠き８３、第２の切り欠き８４、第３の切り欠き８５が設けられ、第１の切り欠き８３端面に湯弁座８６、第２の切り欠き８４端面に水弁座８７が形成されると共にこれら両弁座８６、８７間に筒状の調整弁体８８が摺動自在に設けられる。
【００３６】
又、調整弁カートリッジ７６の基端側には、一端側が調整弁カートリッジ７６内に伸びて調整リング８９にスプライン９０係合し、他端側は調整弁カートリッジ７６より外部に突出して操作部３４が固定されるスピンドル軸９１が回転自在に水密状に取付けられている。
【００３７】
調整リング８９は、調整弁カートリッジ７６の基端側内周面に刻設した雌ネジ部９２に螺合してスピンドル軸９１を回転することにより調整弁カートリッジ７６内を進退し、その先端側に設けたばね受け９３を前後せしめる。
【００３８】
調整弁体８８は、調整弁カートリッジ７６の先端底部７７内に湯流路１３と隔離して設けられたバイアスばね９４により湯弁座８６側を開き水弁座８７側を閉じる方向に付勢されると共に、一端がばね受け９３で保持された状態で第３の切り欠き８５部分に配置された感温体９５により湯弁座８６側を閉じ水弁座８７側を開く方向に付勢されている。
【００３９】
この感温体９５は形状記憶合金製線材をコイル状に巻回して形成し温度変化により伸縮する感温ばねであり、温度が上昇すると伸び、温度が低下すると縮むように設定されている。
【００４０】
スピンドル軸９１に取付け固定される操作部３４は、薄肉の円盤部９６と円盤部９６側方に連接するレバー部９７とを備えた平面鍵穴形状のレバーハンドルであって、円盤部９６表面側にはビス穴９８が開設された段部９９を介してキャップ取付け窪み１００が、裏面側には内周面にスプライン１０１が施された筒状の取付け部１０２が同軸上に設けられている。
【００４１】
又、円盤部９６の裏面側には、取付け部１０２外方より垂下してその先端部が調整弁カートリッジ７６のフランジ部７５の内側に設けられた所定角度幅の円弧状のストッパー溝部１０３内に位置する脚部１０４を備えており、この脚部１０４はストッパー溝部１０３内では自由に回転できるが、脚部１０４がストッパー溝部１０３の段部１０５に当接するとそれ以上の回転が阻止されることで、操作部３４の回転角度範囲を規制している。
【００４２】
即ち、ストッパー溝部１０３と脚部１０４により、操作部３４の回転角度範囲を規制する手段を構成している。
【００４３】
レバー部９７は側面半円形状を呈し、本体２の上面１８後方より第2の立壁１９に沿って僅かの間隙をもって垂下しており、操作部３４の回転角度範囲内においてはレバー部９７の内側端面は第2の立壁１９に接触しないように構成されている。
【００４４】
即ち、第2の立壁１９の本体２後方部分は、スピンドル軸９１の中心軸と同軸の円周壁となっており、この実施例では図２に示すレバー部９７が最後方位置の時には３８℃前後の適温吐水で、この位置より正面から見て左側約８０度回転した位置では４５℃前後の高温吐水、右側約８０度回転した位置では水のみが吐水するように調整弁部３３を設定している。
【００４５】
そして、キャップ取付け窪み１００に嵌着される表示キャップ１０６には、このレバー部９７の位置に対応する指標１０７が施される一方、上方開口空間部２０を覆うカバー部３６には水、適温、高温などの表示１０８が施される。
【００４６】
カバー部３６は、平面縦長の略卵型形状で後方には筒状リング８０が挿通する開口１０９が開けられた板部材で、電磁弁部２５を第１の開孔部３８周囲に止めねじ７３で本体２に固定すると共に調整弁カートリッジ７６を第２の開孔部３９を通して第２の挿入孔４９、第３の挿入孔５１に水密状に嵌入してその基端側のフランジ部７５を段部４５に位置決めして当接させた後、カバー部３６を本体２上面１８のカバー取付け用段部３５に嵌め込み、筒状リング８０を環状壁４７の雌ネジ部４６に螺着してカバー部３６押え用の鍔部７８でもってカバー部３６の開口１０９周縁部を掛止し、併せて調整弁カートリッジ７６を本体２に固定する。
【００４７】
カバー部３６を取付けた後で、操作部３４の筒状の取付け部１０２を筒状リング８０の筒状空間を通して上方開口空間部２０内でスピンドル軸８１にスプライン１０１嵌合し、ネジ部材１１０で両者を固定する。
【００４８】
この時、調整弁カートリッジ７６を位置決めして本体２に固定出来るので、予め調整弁部３３を３８℃前後の適温吐水に設定して本体２に固定し、操作部３４のレバー部９７を後方位置に向けて固定すれば、レバー部９７が最後方位置の時には３８℃前後の適温吐水にすることが可能になる。
【００４９】
尚、本実施例のように筒状リング８０で調整弁カートリッジ７６の本体２への固定とカバー部３６の固定を兼ねることにより、部材点数が減ってコストを安く出来る。
【００５０】
而して、手洗い器４のボール部８に手を差し出せば、投受光素子よりなるセンサー部２４が手を検出して検知部９より電磁コイル５６にプランジャー５２を引き上げる方向にパルス通電し、プランジャー５２をパイロット弁座７１より引き上げてパイロット弁５３が開き、圧力室７０内の水が混合水流路１５の２次側１５ｂに流出する。
【００５１】
圧力室７０内の水が混合水流路１５の２次側１５ｂに流出することで混合水流路１５の1次側１５ａの水圧と圧力室７０内の水圧とのバランスが崩れ、ダイヤフラム弁体６０が水圧で押し上げられてバルブシート部６７から離隔し、主弁５４が開いて混合水は混合水流路１５の１次側１５ａ、バルブユニット部６３の筒部分６２の外側円筒部６８に開けた窓部６９、外側円筒部６８と内側円筒部６６との空間、主弁５４、内側円筒部６６内を経て混合水流路１５の２次側１５ｂに至り、吐出部７より自動的に吐水する。
【００５２】
手洗い器４のボール部８から手を引っ込めれば、検知部９が電磁コイル５６にプランジャー５２を押し下げる方向にパルス通電し、プランジャー５２がパイロット弁座７１に着座してパイロット弁５３が閉じる。
【００５３】
すると、圧力室７０内に混合水流路１５の1次側１５ａより小孔７２を経て混合水が流入し、圧力室７０内の水圧と混合水流路１５の１次側１５ａの水圧と同圧になり、ダイヤフラム弁体６０がバルブシート部６７に着座し、主弁５４が閉じて自動的に止水する。
【００５４】
吐水温度は調整弁部３３で自動調整される。即ち、何らかの原因、例えば給湯温度が上昇し、感温体９５周囲の混合水温度が上昇すると感温体９５が伸びて調整弁体８８をバイアスばね９４の付勢力に抗して湯弁座８６を閉じ水弁座８７を開く方向に移動せしめて湯量を絞り水量を増やすので、混合水温度は自動的に一定に保たれる。
【００５５】
感温体９５周囲の混合水温度が低下すると感温体９５が縮み、調整弁体８８がバイアスばね９４の付勢力によって湯弁座８６を開き水弁座８７を閉じる方向に移動せしめて湯量を増やし水量を絞るので、混合水温度は自動的に一定に保たれる。
【００５６】
吐水温度を変える場合は操作部３４を回転する。即ち、温度を上げる場合はレバー部９７を後方適温位置の状態より正面から見て左側に回転すると調整リング８９が上方に移動して、調整弁体８８が上昇し、湯量を増やし水量を絞る方向に移動するので、高温水が得られる。
【００５７】
レバー部９７を逆方向に回転すると調整リング８９が下方に移動して、調整弁体８８が下降し、湯量を絞り水量を増やす方向に移動するので、低温水が得られる。
【００５８】
本実施例のようにスピンドル軸９１に取付けられた操作部３４は上下動せずに回転するのみで調整リング８９が進退し温度調整するので、カバー部３６上面と円盤部９６との間に隙間を生じて異物を挟み込んだりすることが防止できる上、見栄えも良い。
【００５９】
この際、操作部３４を吐出部７より上方に設けているので、操作部３４を操作する際にセンサー部２４がその手を検知して不意に吐水することにより袖口を濡らすようなこともなく、自動水栓１をコーナーに設置しても操作部３４がコーナー面に当たることはなく、自動水栓１の設置に制約を受けることが無い。
【００６０】
しかも、レバー部９７が本体２後方に位置しているので、洗顔の際に誤ってレバー部９７に触れて吐水温度が変化することが防止でき、使い勝手が良い。
【００６１】
尚、操作部３４を、薄肉の円盤部９６と円盤部９６側方に連接するレバー部９７とを備えた平面鍵穴形状のレバーハンドルであって調整弁部３３のスピンドル軸９１との連結部分を上方開口空間部２０内に位置させているので、操作部３４の本体２上面１８よりの突出高さが低く抑えられ、洗顔の際に顔が操作部３４に当たるような危険を防止できる。
【００６２】
操作部３４のレバー部９７の回転操作範囲を、本体２後方の１８０度以内に規制する手段を設けているので、レバー部９７が本体２上面前方側に回転して位置することが確実に防止し得てレバー部９７が邪魔になることはなく、しかもレバー部９７を回動する範囲が狭くて簡単に温度調整できる。
【００６３】
また、レバー部９７を本体２の上面１８後方より本体２に沿って垂下させているので、この垂下した部分に指などを当てて簡単に操作でき、いたずらにレバー部９７を本体２後方に長く伸ばす必要が無くて済む。
【００６４】
また、本実施例のように本体２上面１８のカバー部３６と操作部３４の円盤部９６に指標１０７や表示１０８を施しているので吐水温度の設定状況が一目で分かり、使用し易い。
【００６５】
調整弁部３３や電磁弁部２５が故障した際には、操作部３４をスピンドル軸９１から外し、次いで筒状リング８９を外すことでカバー部３６を外すことが出来、その後調整弁部３３や電磁弁部２５を上方開口空間部２０内より上方に向けて簡単に取り外すことができる。
【００６６】
次に、図１２乃至図１４に示す第２実施例について説明すると、この実施例においては、検知部としてカバー部に設置したタッチスイッチ部を用いた例を示し、調整弁部や電磁弁部は第１実施例と同様の構造である。
【００６７】
即ち、自動水栓１の本体２は青銅などの銅合金にて平面縦長で側面略矩形形状で前方上部に水平方向に伸びて手洗い器４のボール部８に臨む腕部１１１を有し、この腕部１１１にはボール部８に吐水するように下向きに吐出部７が取付けられ、この本体２の底面３は手洗い器４などに固定されている。
【００６８】
この本体２の底面３には手洗い器４への固定手段１０が設けられると共に湯水の配管１１、１２が接続され、本体２内部には湯配管１１に連絡する湯流路１３、水配管１２に連絡する水流路１４、およびこれら両流路１３，１４が合流し本体２上部後方から前方に延びる腕部１１１内を通過して吐出部７に連絡する混合水流路が１５区画形成されている。
【００６９】
そして、本体２の上面１８中央から後方にかけて第2の立壁１９で囲まれ、一部をカットした略半楕円形状の上方開口空間部２０が形成されている。
【００７０】
上方開口空間部２０には第１実施例と同様の電磁弁部２５、調整弁部３３が収納されており、調整弁部３３の操作部３４のみが露出する状態で、本体２前方の上面１８から第2の立壁１９の内側周縁に設けたカバー取付け用段部３５に、検知部９を構成するタッチスイッチ部１１２付きのカバー部３６を装着している。
【００７１】
即ち、上方開口空間部２０の内には第１実施例と同様に、略中央より後方にかけて順に電磁弁部２５及び調整弁部３３が取付けられている。
【００７２】
カバー部３６は、その表面側にはタッチスイッチ部１１２が設けられると共にその背面略中央部には制御回路、電池等を収容したケーシング部１１３が防水構造で一体に設けられ、このケーシング部１１３より電磁弁部２５へのコネクタ付きコード２６が引き出されている。
【００７３】
そして電磁弁部２５を第１の開孔部３８周囲に止めねじ７３で本体２に固定してからコネクタ接続すると共に、調整弁カートリッジ７６を第２の開孔部３９を通して第２の挿入孔４９、第３の挿入孔５１に水密状に嵌入してその基端側のフランジ部７５を段部４５に位置決めして当接させた後、カバー部３６を本体２上面１８のカバー取付け用段部３５に嵌め込み、筒状リング８０を環状壁４７の雌ネジ部４６に螺着してカバー部３６押え用の鍔部７８でもってカバー部３６の開口周縁部を掛止し、併せて調整弁カートリッジ７６を本体２に固定する。
【００７４】
カバー部３６を取付けた後で、第１実施例と同様に操作部３４の筒状の取付け部１０２を筒状リング８０の筒状空間を通して上方開口空間部２０内でスピンドル軸９１にスプライン嵌合し、ネジ部材１１０で両者を固定する。
【００７５】
而して、手でタッチスイッチ部１１２を押すことで第１実施例と同様に電磁コイルにプランジャーを引き上げる方向にパルス通電し、パイロット弁が開き、主弁が開いて混合水は腕部１１１を経て吐出部７より下向きに手洗い器４のボール部８に向けて自動的に吐出する。
【００７６】
そして、再度、手でタッチスイッチ部１１２を押すことで電磁コイルにプランジャーを押し下げる方向にパルス通電し、パイロット弁が閉じ、主弁が閉じて自動的に止水する。
【００７７】
尚、制御回路には押し忘れにより水が出っ放しになることを防ぐタイマー機能を備えており、吐水させてから所定時間経過するとタイマー機能により自動的に電磁コイルにプランジャーを押し下げる方向にパルス通電し、自動的に止水する。
【００７８】
第１実施例と同様に、吐水温度は調整弁部３３で自動調整されると共に、操作部３４を回転することで吐水温度を変えることが出来る。
【００７９】
この際、操作部３４を吐出部７より上方に設けているので、操作部３４を操作する際に袖口を濡らすこともなく、自動水栓１をコーナーに設置しても操作部３４がコーナー面に当たることはなく自動水栓１の設置に制約を受けることが無いうえ、操作部３４を、薄肉の円盤部９６と円盤部９６側方に連接するレバー部９７とを備えた平面鍵穴形状のレバーハンドルであって調整弁部３３のスピンドル軸９１との連結部分を上方開口空間部２０内に位置させ、レバー部９７は本体２の上面１８後方より本体２に沿って垂下させているので、操作部３４の本体２上面１８よりの突出高さが低く抑えられ、洗顔の際に操作部３４が邪魔になることがない。
【００８０】
しかも、タッチスイッチ部１１２をカバー部３６に操作部３４に近接して設置しているので操作し易い上、頻繁にタッチ操作するタッチスイッチ部１１２を操作部３４より手前に設けているので使い勝手も良く、しかもカバー部３６の本体からの取り外しが容易でタッチスイッチ部１１２の補修も行い易い。
【００８１】
尚、本実施例のようにカバー部３６のケーシング部１１３内にタッチスイッチ部１１２と共に電池や制御部を設ければ、電池交換や制御部の補修も行い易い。
【００８２】
本発明は上述の実施例に限定されることなく種々の変形が可能であり、電磁弁部や制御部などのエネルギー源として交流電源を用いても良い。
【００８３】
この場合、前方開口空間部１７底壁及び手洗い器４への固定手段１０に穴部１１４を設け、この穴部１１４を通して交流〜直流変換した電気エネルギーを制御部へ供給すれば良い。
【００８４】
勿論、電池パックなどを手洗い器４下方に設置しこの穴部１１４を通して制御部へ電気エネルギーを供給しても良く、このようにすれば自動水栓１自体をコンパクトに出来る。
【００８５】
また、カバー部３６に太陽電池を設けたり、配管１１、１２途中あるいは混合水流路１５途中に発電タービンなどを設けて自己発電し、この発電エネルギーを供給することで電池等の外部エネルギーを不要にしても良い。
【００８６】
更に、カバー部３６のタッチスイッチ部１１２に代えて光電センサーを設け、一度手をかざすと吐水し、再度手をかざすと止水するように構成しても良い。
【００８７】
更に又、調整弁部３３を自動温調するために設ける感温体９５として感温ばね以外にワックスペレットやバイメタルなどを用いても良いが、調整弁部３３に必ず感温体９５を設ける必要はなく、単なる混合バルブで湯水の混合比を変える所謂ミキシングバルブ方式のバルブ構造であっても良い。
【００８８】
また更に、操作部３４は通常の円筒形状のハンドルであっても良く、レバー部９７も本体２の上面１８に第2の立壁１９より外方に突出するように平行に伸ばしても良い。
【００８９】
操作部３４の回転範囲規制手段を、操作部３４の円盤部９６背面に突起部を設け、カバー部３６にこの突起の移動範囲を規制する溝部を設けたりして構成したり、本体２外面にレバー部９７の垂下部分が当接する突起を設けたりして構成しても良い。
【００９０】
又、その回転角度規制範囲は、本実施例では１６０度程度にしたが、１８０度以内であれば良く、好ましくは１００度以上あれば細かな温度調整が出来て好ましい。
【００９１】
更に、レバー部９７の垂下部分の形状は第１実施例のように薄板の半円形状のほか三角形状、矩形形状であっても良く、第２実施例のように棒状にしたり球状などにしても良い。
【００９２】
又、更に本体材質として銅合金以外にエンジニアリングプラスチック等を用いても良い。
【００９３】
又、本体側面形状は正方形状、長方形状、台形形状、平行４辺形形状、４角形状に吐出部を形成する細長い腕部を組み合わせた形状など、調整弁部と電磁弁部を前後方向に略縦方向に収納できる矩形部分を備えた略矩形形状であれば良い。
【００９４】
この腕部は本体とは別体に例えば管材で形成し、これらを接合しても良い。
【００９５】
【発明の効果】
以上のように本発明自動水栓は、本体内に、湯水の混合比を調整する調整弁部と、この調整弁部の下流側に設けられた電磁弁部と、この電磁弁部の下流側に設けられた吐出部と、人体を検出する検知部と、この検知信号に基づき電磁弁部を駆動する制御部とを備えた自動水栓において、上記本体を、側面略矩形形状で平面縦長の厚板形状に形成すると共に上面後方に開口空間部を設け、上記調整弁部及び電磁弁部をこの開口空間部に後方より順に縦方向に収納してカバー部で覆い調整弁部の操作部をこのカバー部より突出せしめると共に、上記吐出部を上記本体の前面の上部に設けて、操作部を吐出部より上面に設けているので、操作部を操作する際に袖口を濡らすこともなく、自動水栓をコーナーに設置しても操作部がコーナー面に当たることはなく設置に制約を受けず、調整弁や電磁弁が故障した際にカバーを外し、これらを上方より取り外すことが簡単で補修が容易である。
【００９６】
検知部を人体の存在を検出するセンサー部とする場合には、このセンサー部を吐出部より下方の前面に設置するのが好ましく、この様にすれば吐出部近傍に差し出した手などを確実に検出できて確実に吐水できる。
【００９７】
タッチスイッチ部をカバー部に操作部より手前に設けると、操作部に近接して設置されてタッチ操作し易い上、頻繁にタッチ操作するタッチスイッチが操作部より手前に位置するので使い勝手も良く、しかもカバー部の本体からの取り外しが容易でタッチスイッチ部の補修も行い易い。
【００９８】
調整弁部の操作部をレバー式ハンドルで構成し、このレバー部を本体後面より外方に伸ばすと、レバー部が本体後方に位置しているので、洗顔の際に誤ってレバー部に触れて吐水温度が変化することが防止でき、使い勝手が良い。
【００９９】
操作部と調整弁部との連結部分を開口空間部内に位置させると、操作部の本体上面よりの突出高さが低く抑えられ、洗顔の際に操作部に当たる危険を防止できる。
【０１００】
レバー部の回転操作範囲を、本体後方の１８０度以内に規制する手段を設けると、レバー部が本体上面前方に位置することを確実に防止し得、しかも回動する範囲が狭くて簡単に温度調整できる。
【０１０１】
レバー部を本体後面より本体に沿って垂下させると、この垂下した部分に指などを当てて簡単に操作でき、いたずらにレバー部を本体後方に長く伸ばす必要が無くて済み、コンパクトに出来る。
【図面の簡単な説明】
【図１】  本発明の第1実施例を示す自動水栓の外観斜視図である。
【図２】  同、自動水栓の平面図である。
【図３】  同自動水栓の中央断面図である。
【図４】  図３におけるＡ−Ａ断面図である。
【図５】  同、Ｂ−Ｂ断面図である。
【図６】  同、Ｃ−Ｃ断面図である。
【図７】  同、Ｄ−Ｄ断面図である。
【図８】  同、Ｅ−Ｅ断面図である。
【図９】  同、Ｆ−Ｆ断面図である。
【図１０】同、Ｇ−Ｇ断面図である。
【図１１】同、要部の分解斜視図である。
【図１２】同、電磁弁部の断面図である。
【図１３】同、調整弁部の取付け状況を示す平面図である。
【図１４】同、操作部の底面図である。
【図１５】本発明の第２実施例を示す自動水栓の外観斜視図である。
【図１６】同、自動水栓の平面図である。
【図１７】同、自動水栓の中央断面図である。
【符号の説明】
１：自動水栓            ２：本体                ３：底面
４：手洗い器            ５：前面                  ６：傾斜壁
７：吐出部              ８：ボール部              ９：検知部
１０：固定手段          １１：湯配管              １２：水配管
１３：湯流路            １４：水流路              １５：混合水流路
１５ａ：混合水流路１次側      １５ｂ：混合水流路２次側
１６：第1の立壁        １７：前方開口空間部      １８：上面
１９：第2の立壁        ２０：上方開口空間部      ２１：縦壁
２２：空洞部            ２３：透明樹脂ケース      ２４：センサー部
２５：電磁弁部          ２６：コネクタ付きコード  ２７：ビス
２８：開口              ２９：前面板              ３０：周縁部
３１：段部              ３２：止めねじ            ３３：調整弁部
３４：操作部            ３５：カバー取付け用段部  ３６：カバー部
３７：底壁部            ３８：第1の開孔部        ３９：第2の開孔部
４０：ネジ孔            ４１：第１の隔壁          ４２：挿入孔
４３：流出口            ４４：整流網              ４５：段部
４６：雌ネジ部          ４７：環状壁              ４８：第２の隔壁
４９：第２の挿入孔      ５０：第３の隔壁          ５１：第３の挿入孔
５２：プランジャー      ５３：パイロット弁        ５４：主弁
５５：ケーシング        ５６：電磁コイル        ５７：永久磁石
５８：駆動ユニット部    ５９：ダイヤフラム押え  ６０：ダイヤフラム弁体
６１：矩形部分          ６２：筒部分            ６３：バルブユニット部
６４：係止腕            ６５：フランジ部        ６６：内側円筒部
６７：バルブシート部    ６８：外側円筒部        ６９：窓部
７０：圧力室            ７１：パイロット弁座    ７２：小孔
７３：止めねじ          ７４：コネクタ付コード  ７５：フランジ部
７６：調整弁カートリッジ                        ７７：底部
７８：鍔部              ７９：雄ねじ部          ８０：筒状リング
８１：凸部              ８２：凹部              ８３： 第１の切り欠き
８４：第２の切り欠き    ８５：第３の切り欠き    ８６：湯弁座
８７：水弁座            ８８：調整弁体          ８９：調整リング
９０：スプライン        ９１：スピンドル軸      ９２：雌ネジ部
９３：ばね受け          ９４：バイアスばね      ９５：感温体
９６：円盤部            ９７：レバー部          ９８：ビス穴
９９：段部            １００：キャップ取付け窪み
１０１：スプライン    １０２：取付け部        １０３：ストッパー溝部
１０４：脚部          １０５：段部            １０６：表示キャップ
１０７：指標          １０８：表示            １０９：開口
１１０：ネジ部材      １１１：腕部            １１２：タッチスイッチ部
１１３：ケーシング部  １１４：穴部
【図１】
0004427841.tif 000002
【図２】
0004427841.tif 000003
【図３】
0004427841.tif 000004
【図４】
0004427841.tif 000005
【図５】
0004427841.tif 000006
【図６】
0004427841.tif 000007
【図７】
0004427841.tif 000008
【図８】
0004427841.tif 000009
【図９】
0004427841.tif 000010
【図１０】
0004427841.tif 000011
【図１１】
0004427841.tif 000012
【図１２】
0004427841.tif 000013
【図１３】
0004427841.tif 000014
【図１４】
0004427841.tif 000015
【図１５】
0004427841.tif 000016
【図１６】
0004427841.tif 000017
【図１７】
0004427841.tif 000018